(57)【要約】【課題】  灯具を前方から見たときに複数の光源像が観察できるようにした灯具において、レンズの肉厚を低減し、灯具の薄型化、軽量化を実現する。【解決手段】  光源２（２２）から出射した光を屈折して前方に照射するレンズ３を備える車両用灯具であって、レンズ３には光源から出射した光を屈折し、屈折した光で光源像が観察可能な複数の単位ステップ３３の領域が定義され、これら単位ステップ３３の領域はそれぞれ複数の領域に細分した複数の細分ステップ３４により構成する。レンズを薄型化することができるとともに、単位ステップで構成されたレンズと同等な配光特性が得られ、灯具の薄型化と軽量化が実現できる。【選択図】  図３
2010177064.tif 000002
【特許請求の範囲】
【請求項１】
光源と、光源から出射した光を屈折して前方に照射するレンズとを備える車両用灯具であって、前記レンズには前記光源から出射した光を屈折し、屈折した光で光源像が観察可能な複数の単位ステップの領域が定義され、前記単位ステップの各領域はそれぞれ複数の領域に細分され、細分された各領域に設けられた複数の細分ステップにより前記単位ステップと等価な光学要素を構成することを特徴とする車両用灯具。
【請求項２】
前記細分ステップは前記単位ステップをフレネル化したステップであることを特徴とする請求項１に記載の車両用灯具。
【請求項３】
複数の光源を備え、前記単位ステップの領域には少なくとも１つの光源からの光が入射されることを特徴とする請求項２に記載の車両用灯具。
【請求項４】
前記レンズの前記光源の光軸から離れた領域には光源からの光を反射するためのステップ又は表面処理が施されていることを特徴とする請求項１ないし３のいずれかに記載の車両用灯具。
【請求項５】
前記レンズは正面視がランプ光軸を中心とする円形であり、前記単位ステップの領域はレンズ中心を渦中心とする渦巻状に配設されていることを特徴とする請求項１ないし４のいずれかに記載の車両用灯具。
【発明の詳細な説明】
【技術分野】
【０００１】
本発明は灯具を前方から見たときに１つの光源で複数の光源像が観察できるようにして視認性及び意匠性を高めた車両用灯具に関するものである。
【背景技術】
【０００２】
近年の車両用灯具として１つの光源で複数の光源像が観察できるようにしたものが提案されている。例えば、自動車のテールランプのような標識灯において、光源の数を低減して消費電力を抑制する一方で、１つの光源で複数の光源像が観察できるようにすることで当該ランプの視認性を高めるとともに、意匠上の効果を高めている。例えば、特許文献１のランプでは、光源としての１つの発光素子の前側に配置するレンズの前面に複数の平面状をしたステップを配列形成し、発光素子から出射した光をこれら複数のステップでそれぞれ屈折させて異なる領域を照射するように構成している。この特許文献１のランプでは、複数のステップからランプの前方に向けて出射される光はそれぞれ異なる方向に向けられるため、ランプの前面方向からランプを見たときには各ステップによって発光素子の光学像が観察でき、あたかも複数の光源が存在しているように見えてランプの視認性を高めるとともに、ランプが奥行感のある見栄えとなってデザイン性（意匠性）を高めることが可能になる。
【先行技術文献】
【特許文献】
【０００３】
【特許文献１】特開２００５−３４００５２号公報
【発明の概要】
【発明が解決しようとする課題】
【０００４】
このようなランプでは、複数の光源像を形成するためにはレンズに複数の光源像に対応した数のステップを形成する必要がある。また、一方で視認性を高めるためには光源像をあまり小さくすることは好ましくなく、そのため、複数のステップの個々の面積を光源像に対応した大きさにする必要がある。また、光源の光軸から離れたレンズの周辺部では光源からレンズに入射される光の入射角が大きくなるためステップの入射面や出射面の光軸に対する傾斜角や曲率を大きく取らなければならず、そのため所要の面積のステップを形成したときにステップの光軸方向の厚み寸法を大きくしなければならない。この結果としてレンズが厚肉になりレンズ重量が嵩み、ランプの光軸方向の寸法を低減した薄肉化やランプの軽量化を図る上での障害になる。
【０００５】
本発明の目的は、灯具を前方から見たときに複数の光源像が観察できるようにした灯具において、レンズの肉厚を低減することにより灯具の薄型化、軽量化を実現した車両用灯具を提供するものである。
【課題を解決するための手段】
【０００６】
本発明は、光源と、光源から出射した光を屈折して前方に照射するレンズとを備える車両用灯具であって、レンズには光源から出射した光を屈折し、屈折した光で光源像が観察可能な複数の単位ステップの領域が定義され、これら単位ステップの各領域はそれぞれ複数の領域に細分され、細分された各領域に設けられた複数の細分ステップにより単位ステップと等価な光学要素を構成することを特徴とする。
【発明の効果】
【０００７】
本発明によれば、レンズを細分ステップで構成して薄肉化することができるとともに、複数の細分ステップで１つの単位ステップと等価な光学要素を構成しているので、当該単位ステップで構成されたレンズと同等な配光特性が得られる。これにより、灯具を前方から見たときに複数の光源像、特に細分ステップの元となる単位ステップで構成されたレンズの場合と同じ数の光源像を観察できるようになり、灯具の視認性を高めるとともに、奥行感のある意匠性にすぐれた灯具が得られ、さらに灯具の薄型化と軽量化が実現できる。
【０００８】
本発明において、細分ステップは単位ステップをフレネル化したステップで構成することで、レンズの薄型化が実現できる。
【０００９】
本発明において、複数の光源を備え、単位ステップの領域には少なくとも１つの光源からの光が入射される構成とすることで、単位ステップの領域の数以上の光源像を観察することが可能になる。
【００１０】
本発明において、レンズの光源の光軸から離れた領域には光源からの光を反射するためのステップ又は表面処理が施された構成とすることで、レンズの周辺の領域に投射される光を灯具の前方に向けて照射することができ、照射効率を向上する。
【００１１】
本発明において、例えば、レンズは正面視がランプ光軸を中心とする円形であり、単位ステップの領域はレンズ中心を渦中心とする渦巻状に配設した構成とする。渦巻状に配列された光源像が観察でき、灯具の見栄えを向上することが可能になる。
【図面の簡単な説明】
【００１２】
【図１】本発明の実施形態１の正面図とＩ−Ｉ線断面図。
【図２】インナーレンズのステップを説明するための元となるランプの正面図とII−II線断面図。
【図３】図１と図２の各インナーレンズにおける光源像を説明するためのステップの拡大断面図。
【図４】実施形態２の断面図。
【図５】実施形態３の正面図。
【図６】図５のＶ−Ｖ線断面図。
【図７】実施形態３のインナーレンズのステップを説明するための元となるレンズの概略正面図。
【発明を実施するための形態】
【００１３】
（実施形態１）
次に、本発明の実施の形態を図面を参照して説明する。図１（ａ）は本発明を自動車のテールランプＴＬに適用した実施形態１の正面図、図１（ｂ）はＩ−Ｉ線断面図である。テールランプは正面形状が円形をしており、円筒状をした側壁１１１と円形をした後壁１１２とでランプボディ１１が構成されている。このランプボディ１１と、ランプボディ１１の前面開口に取着されて中央部が幾分前方に向けて凸状に湾曲された素通し透明樹脂からなるアウターレンズ１２とでランプハウジング１が構成されている。このランプハウジング１の内部に複数個の光源２と、１つのインナーレンズ３が組み込まれている。前記ランプボディ１１の底壁１１２は円形をしてランプの前方に向けて突出形成された中央領域１１２ａと、この中央領域１１２ａを囲む円環状の周囲領域１１２ｂとで構成されている。前記光源２はここでは６個の赤色ＬＥＤ（発光ダイオード）２１〜２６で構成されており、そのうち１つのＬＥＤ２１は前記底壁１１２の中央領域１１２ａにおいてテールランプＴＬの中心となるランプ光軸Ｌｘ上に配設され、他の５つのＬＥＤ２２〜２６は周囲領域１１２ｂにおいて円周方向に等間隔に配設されている。前記底壁１１２は配線基板として形成されており、配設された各ＬＥＤ２１〜２６は当該底壁１１２に設けられた図には表れない配線に電気接続され、所要の給電が行われて発光するようになっている。前記中央の１つのＬＥＤ２１は発光光軸Ｏｘがランプ光軸Ｌｘに一致され、他の５つのＬＥＤ２２〜２６は発光光軸Ｏｘがランプ光軸Ｌｘと平行に向けられている。
【００１４】
前記インナーレンズ３はアウターレンズ１２と同様に中央部分が幾分前方に湾曲した円形の光透過材料で形成され、その内面に多数のステップ３１が形成されており、前記各ＬＥＤ２１〜２６から出射された光をステップ３１で屈折してランプの前方に向けて照射し、テールランプＴＬに要求される所要の配光を得るようになっている。特に、実施形態１では同じＬＥＤから出射された光が複数のステップ３１で屈折されて前方に照射されたときに、これらの光で当該ＬＥＤの虚像、すなわち光源像を形成するようになっており、これによりテールランプＴＬが点灯されたときに、当該テールランプＴＬを前方から見たときに複数のＬＥＤ像が観察でき、テールランプＴＬの視認性を高めるとともにテールランプＴＬの奥行感を生じさせる意匠効果を得ている。
【００１５】
このようなインナーレンズ３のステップ３１について説明する。図２（ａ），（ｂ）は当該ステップ３１の元となる構成を示すための図であり、図１（ａ），（ｂ）と同様な正面図と断面図である。元となるインナーレンズ３Ａは正面から見てランプ光軸Ｌｘ上のレンズ中心を渦巻中心とする１５本の渦巻線Ｌｖで円周方向に渦巻領域３２を区画し、さらに各渦巻領域３２を径方向に５本又は６本程度の円弧線Ｌｃで区画し、これらの区画した各領域を単位ステップ領域３３として定義する。各単位ステップ領域３３にはそれぞれ凹レンズ形状のステップを形成し、これを単位ステップと称して同じ符号３３で示す。図３（ａ）にインナーレンズ３Ａの一部の拡大断面図を示すように、例えばＬＥＤ２２から出射した光を単位ステップ３３の凹レンズ形状によって拡散状態に屈折してテールランプＴＬの前方に出射させる。ここでは光の拡散角度はランプ光軸Ｏｘに対して左右にほぼ４７°の範囲に設定している。また、このように単位ステップ３３において光を拡散状態で照射することにより、各単位ステップ３３をランプ前方から見たときに、各単位ステップ３３のそれぞれに対応してＬＥＤの虚像、すなわちＬＥＤ像２２ａが観察される。すなわち、単位ステップ３３と同じ数のＬＥＤ像が観察されるようになる。しかし、この単位ステップ３３により観察されるＬＥＤ像２２ａをテールランプＴＬの全面にわたってほぼ均一に配設するには、各単位ステップ３３から出射される光の方向をランプ光軸Ｌｘに沿った方向に向ける必要がある。そのため、各ＬＥＤ２１〜２６の発光光軸Ｏｘを外れた単位ステップ３３についてはＬＥＤから入射される光を大きな角度で屈折しなければならなくなり、発光光軸Ｏｘから離れる方向の肉厚が低減するように傾斜したレンズとして形成する必要がある。したがって、発光光軸Ｏｘから離れた単位ステップ３３においてはレンズの入射面を発光光軸Ｏｘに対して大きな角度にしており、そのため当該単位ステップ３３ではＬＥＤの発光光軸Ｏｘに沿った方向の厚み寸法が大きくなる。すなわち、インナーレンズ３Ａが厚肉になり、これが要因になってテールランプの厚型化、重量化が生じてしまう。
【００１６】
実施形態１では図３（ｂ）にインナーレンズ３の一部の拡大断面を示すように、インナーレンズ３Ａと同様に定義した単位ステップ領域３３をさらに円周方向と径方向のそれぞれについて４〜５つの区画に細分化した細分ステップ領域３４とし、各細分ステップ領域３４にそれぞれステップを形成し、これを細分ステップと称して同じ符号３４で示す。すなわち、図１に示したインナーレンズ３のステップ３１はこの細分ステップ３４で構成されることになる。そして、これら細分ステップ３４のそれぞれによって屈折されるＬＥＤ２１〜２６からの光をそれぞれランプ光軸Ｌｘに対して拡散させて前方に向けて照射させている。ここでは、図３（ａ）に示した各単位ステップ３３を１つの独立したレンズステップとした場合に、このレンズステップをフレネル化して細分ステップ３４を形成している。フレネル化については既に広く知られているので詳細な説明は省略するが、単位ステップ３３を構成している凹レンズの曲面を細分ステップ領域３４に対応させて細分化し、細分化した曲面をランプ光軸Ｌｘ方向に集約させる技術である。これにより複数の細分ステップ３４によって単位ステップ３３と等価な凹レンズが構成されることになり、図２に示したインナーレンズ３Ａと光学的に等価であるが肉厚を格段に薄くした実施形態１のインナーレンズ３が構成できることになる。
【００１７】
この実施形態１のテールランプＴＬによれば、各ＬＥＤ２１〜２６が発光すると、各ＬＥＤ２１〜２６から出射された光はインナーレンズ３の細分ステップ３４により屈折され、テールランプＴＬの前方にテールランプに要求される所要の配光特性で照射されることになる。このとき、図３（ｂ）に示したように、細分ステップ３４は複数個で１つの単位ステップ３３を構成することになるので、ＬＥＤ２２の場合には、ＬＥＤ２２から出射されて複数の細分ステップ３４でそれぞれ屈折されて前方に照射される光によって１つのＬＥＤ像２２ａを形成することになる。これは、図３（ａ）に示したように、単位ステップ３３で構成されたインナーレンズ３Ａにおける光の屈折とこれによるＬＥＤ像２２ａの形成と同じである。図示は省略するが、ＬＥＤ２１及びＬＥＤ２３〜２６においてもほぼ同様にしてこれらＬＥＤ２１，２３〜２６から出射した光はそれぞれ複数の細分ステップ３４に入射され、屈折されて前方に向けて照射される。このとき、単位ステップ３３を構成する複数の細分ステップ３４によって１つのＬＥＤ像が観察できることはＬＥＤ２２の場合と同じである。これにより、少なくとも単位ステップ３３に相当する数のＬＥＤ像が観察できるようになる。また、実施形態１では細分ステップ３４は渦巻形状に区画した単位ステップ３３に基づいて配列されているので、これら細分ステップ３４により結像されて観察されるＬＥＤ像はテールランプＴＬの全面にわたって渦巻状に配列されたものとなる。
【００１８】
したがって、インナーレンズ３を細分ステップ３４で構成して薄肉化しているのにも関わらず、元となる単位ステップ３３で構成したインナーレンズ３Ａと同じ配光特性での光照射が実現できるとともに、テールランプＴＬを前方から見たときに単位ステップ３３の数に相当するＬＥＤ像が観察できるようになり、テールランプＴＬの視認性を高めるとともに奥行感が得られた意匠効果の高いランプが得られる。なお、実施形態１では６つのＬＥＤ２１〜２６を配設しているので、インナーレンズ３の一部の細分ステップ３４では複数のＬＥＤからの光が入射されて屈折されることがあるため、実際には細分ステップ３４で構成される単位ステップ３３の数よりも多くのＬＥＤ像が観察できるようになり、テールランプＴＬの視認性をより高めるとともに奥行感をより高めることが可能になる。また、インナーレンズ３の薄型化によりテールランプＴＬのランプ光軸方向の寸法を低減して薄型化を図るとともに、軽量化が実現できる。
【００１９】
また、実施形態１では中央領域１１２ａに配設した１つのＬＥＤ２１は周囲領域１１２ｂに配設した５つのＬＥＤ２２〜２６よりもランプ光軸Ｌｘ方向に沿って前方に配置しているので、インナーレンズ３の中央の領域を周囲の領域よりも高光度で光を投射することになり、ランプ光軸Ｌｘ及びこれを含む中央の領域の照射光度を高めた配光特性が得られる。そのため、観察されるＬＥＤ像も中央の領域は周囲の領域よりも明るいＬＥＤ像となり、これらＬＥＤ像の明るさの違いによってテールランプＴＬの奥行感を更に高めることが可能になる。
【００２０】
（実施形態２）
実施形態１のテールランプでは、インナーレンズ３は中央部を幾分前方に湾曲させた形状であるが、実施形態２では図４のように中央部を後方に向けて凸状に湾曲させた形状のインナーレンズ３Ｂに形成している。なお、図１と等価な部分には同一の符号を付して説明は省略する。インナーレンズ３Ｂの内面に形成するステップは実施形態１と同様に複数の単位ステップ領域３３をそれぞれ複数の細分ステップ３４で構成し、これら複数の細分ステップ３４によって単位ステップ単位でＬＥＤ像を観察するように構成している。したがって、実施形態１と同様にそれぞれ複数の細分ステップ３４によって各単位ステップ領域３３に対応するＬＥＤ像が観察でき、テールランプＴＬの視認性を高めるとともに奥行感による意匠性が高められる。
【００２１】
また、実施形態２では、インナーレンズ３Ｂは後方に向けて凸状に湾曲しているため、インナーレンズ３Ｂの周辺の領域の内面の傾斜がＬＥＤ２の発光光軸Ｏｘに対して大きくなり、当該周辺の領域に形成する細分ステップ３４を実施形態１と同じ入射面の角度に形成する場合には当該細分ステップ３４の入射面がインナーレンズ３Ｂの後方へ突出する寸法を小さくでき、インナーレンズ３Ｂの肉厚を薄くすることが可能になる。
【００２２】
その一方で、インナーレンズ３Ｂの周辺の領域においては各ＬＥＤ２１〜２６からの入射角が実施形態１よりも大きくなるため、インナーレンズ３Ｂの周辺の領域に入射した光は同図に破線矢印で示すようにインナーレンズ３Ｂを透過してもアウターレンズ１２を通して前方に照射されなくなることがあり、テールランプＴＬにおける光の照射効率が低下するおそれがある。そのため、実施形態２ではインナーレンズ３Ｂの後面の周辺の領域に後方に向けて突出した反射ステップ３５を形成している。この反射ステップ３５はインナーレンズ３Ｂの周縁に沿って円環状に形成している。この反射ステップ３５を設けることにより、インナーレンズ３Ｂの周辺の領域に入射された光は反射ステップ３５によって全反射されてランプ光軸Ｌｘに向けられ、アウターレンズ１２を透過して前方に照射されるので、インナーレンズ３Ｂの周辺の領域における光の照射効率を高め、テールランプＴＬの視認性を高めることになる。
【００２３】
なお、反射ステップ３５に代えてインナーレンズの周辺領域にシボ加工を施してもよい。シボ加工を施すことによってインナーレンズの周辺領域に投射された光が乱反射するようになり、この乱反射によって周辺領域から照射される光が増加して照射効率が高められるとともに、周辺領域が暗くなることが防止され、外観上の見栄えが向上する。
【００２４】
（実施形態３）
図５は実施形態３のランプの正面図、図６はそのＶ−Ｖ線断面図であり、実施形態１と同様にテールランプＴＬ１に適用したものである。なお、実施形態１と等価な部分には同一符号を付してある。矩形の容器状をしたランプボディ１１は周壁１１１と後壁１１２とで構成される。また、周壁１１１の前縁には後方に向けて凹まされた内面壁１１３が一体に形成されており、この内面壁１１３は表面が反射面となるようにアルミニウムめっき等の表面処理されてリフレクタとして構成されている。このリフレクタ１１３の前縁開口には素通し透明樹脂からなるアウターレンズ１２が取着されており、これらによりランプハウジング１Ａが構成されている。ランプハウジング１Ａ内には後壁１１２の前側に支持基板１１４が内装支持されており、この支持基板１１４に光源２が配設されている。また、リフレクタ１１３の前側にインナーレンズ３Ｃが内装されている。光源２は８つの赤色ＬＥＤで構成されており、前記支持基板１１４に上下２列×左右４列の枡目状に配設され、前記リフレクタ１１３に同様にして配列した小窓１１３ａを通してランプ前面側に露呈されている。この支持基板１１４は配線基板を兼ねており、配設した各ＬＥＤ２に対して給電することができるように電気接続され、給電されたときに発光し、発光した光を前記小窓１１３ａを通してリフレクタ１１３の前面側に出射するようになっている。
【００２５】
前記インナーレンズ３Ｃは前記ＬＥＤ２の左右４列に対応してそれぞれ独立した４つのインナーレンズ３Ｃとして構成されている。各インナーレンズ３Ｃは正面視が上下方向に沿って略紡錘型をした透明樹脂で形成され、上下方向の中央部位に設けた左右の支持片３６によって前記リフレクタ１１３に支持されている。また、各インナーレンズ３Ｃは上下方向の断面形状が実施形態２と同様にテールランプＴＬ１の後方に向けて凸状に湾曲させた形状であり、その内面には所要のステップ３１が形成されている。各インナーレンズ３Ｃは中央領域Ａｃを境にして上下に対称な上側領域Ａｕと下側領域Ａｄとで構成されており、これら上側領域Ａｕと下側領域Ａｄのそれぞれにおいてインナーレンズ３Ｃの内面に形成される前記ステップ３１もほぼ対称な形状とされている。なお、ここでは中央領域Ａｃにはステップ３１は形成していない。
【００２６】
前記ステップ３１は、インナーレンズ３Ｃを上下方向及び左右方向に区画した多数の微細なステップとして形成されており、この微細なステップは実施形態１のインナーレンズの細分ステップ３４に相当する。すなわち、図７に１つのインナーレンズ３Ｃで例示するように、インナーレンズ３Ｃは上下、左右に複数の領域に区画され、各区画をそれぞれ単位ステップ領域３３として定義する。この単位ステップ領域３３は光学的には１つの単位ステップとして構成され、ＬＥＤ２から出射した光を拡散状態で出射させることでテールランプＴＬの前方から見たときにＬＥＤ像を観察させるように構成するものである。実施形態３では、これらの単位ステップ領域３３をさらに上下、左右に細分化した上で当該単位ステップ領域３３を構成している１つの単位ステップを実施形態１と同様にフレネル化することで、１つの単位ステップ領域３３を複数の細分ステップ３４で構成し、これら複数の細分ステップ３４で１つの単位ステップ３３と等価な光学特性を得るようにしている。
【００２７】
このテールランプＴＬ１によれば、上下２列、左右４列の各ＬＥＤ２が発光し、これらから出射された光はそれぞれ対向するインナーレンズ３Ｃに入射され、各インナーレンズ３Ｃの細分ステップ３４により屈折され、テールランプＴＬ１の前方に所要の配光特性で照射されることになる。このとき、上下２列の各ＬＥＤ２から出射された光はそれぞれ対向するインナーレンズ３Ｃの上側領域Ａｕと下側領域Ａｄにそれぞれ入射され、各細分ステップ３４により屈折されて照射される。各インナーレンズ３Ｃの細分ステップ３４は、図７に示したように、複数の細分ステップ３４で１つの単位ステップ３３を構成しているので、複数の細分ステップ３４から出射される光によってＬＥＤ像を形成することになる。これは、図３を参照して説明した実施形態１と同じである。
【００２８】
したがって、実施形態３のテールランプＴＬ１では、インナーレンズ３Ｃのステップ３１を細分ステップ３４で構成して薄型化しているのにも関わらず、単位ステップ３３で構成したインナーレンズと同じ配光特性での光照射が実現できるとともに、テールランプＴＬ１を前方から見たときに単位ステップ３３に相当する数のＬＥＤ像、すなわち実際のＬＥＤ２の数よりも多数のＬＥＤ像が観察できるようになり、テールランプＴＬ１の視認性を高めるとともに奥行感が得られた意匠効果の高いテールランプＴＬ１が得られる。実施形態３では１つのインナーレンズ３Ｃの上下の領域にそれぞれ１つのＬＥＤ２が配設されており、実施形態１のように１つの細分ステップ３４に対して複数のＬＤＥ２からの光が入射されることがないので、各インナーレンズ３Ｃでは単位ステップ３３に相当する数だけのＬＥＤ像が観察されることになる。
【００２９】
実施形態３ではインナーレンズ３Ｃは後方に向けて凸状に湾曲されているので、上下の領域ではステップ３１（３４）の傾斜が少なくなり、これらの領域に投射された光をテールランプＴＬ１の前方に向けて照射させる際の照射効率が低くなることは実施形態２と同じである。したがって、実施形態３においてもインナーレンズ３Ｃの上下の縁部に実施形態２と同様な反射ステップ３５やシボ加工等を設けておくことにより照射効率を改善し、あるいは見栄えを向上することが可能になる。また、インナーレンズ３Ｃの薄肉化によりテールランプＴＬ１の薄型化と軽量化が実現できる。
【００３０】
実施形態１，２では光源にＬＥＤを用いているが、レーザダイオード等の他の発光素子を用いることもでき、さらにはバルブ（電球）を光源とした灯具への適用も可能である。また、実施形態１，２，３ではレンズのステップ構造をインナーレンズに適用した例を示したがアウターレンズのステップとしても適用することは可能である。
【００３１】
実施形態１では単位ステップ３３やこれを細分化した細分ステップ３４を渦巻状に配設しているので細分ステップ３４の大きさ（面積）は周辺側から中心側に向けて徐々に小さくなっているが、各細分ステップの面積を同じ又はほぼ同じにしてもよい。また、実施形態１において渦巻状とは異なる形状に単位ステップ及び細分ステップの領域を定義してもよい。これは、実施形態３についても同様であり、単位ステップ及び細分ステップを任意の形状に配設してもよい。また、インナーレンズの内面に形成されるステップは上下非対称でもかまわない。
【産業上の利用可能性】
【００３２】
本発明は光源から出射した光をレンズで屈折して所要の配光特性を得るとともに、ランプを前方から見たときに複数の光源像が観察できるように構成したランプであればテールランプに限られることなくトップランプ、ターンランプのような自動車の各種ランプに採用されることが可能である。
【符号の説明】
【００３３】
１，１Ａ  ランプハウジング
２（２１〜２６）  光源（ＬＥＤ）
３，３Ａ，３Ｂ，３Ｃ  インナーレンズ
１１  ランプボディ
１２  アウターレンズ
３３  単位ステップ領域（単位ステップ）
３４  細分ステップ領域（細分ステップ）
１１１  周壁
１１２  後壁
１１３  内面壁（リフレクタ）
１１４  支持基板
【図１】
2010177064.tif 000003
【図２】
2010177064.tif 000004
【図３】
2010177064.tif 000005
【図４】
2010177064.tif 000006
【図５】
2010177064.tif 000007
【図６】
2010177064.tif 000008
【図７】
2010177064.tif 000009